Podtech/llm-jp-corpus-v4-ja_patent huggingface dataset:
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
ブームクレーンのブームに取り付けることのできるグラップルであって、前記グラップルが、
前記ブームクレーンのブームの端部に取り付けることのできる本体部材であって、ベースと、前記ベースから延びる第１のウィング部材及び第２のウィング部材とを有する本体部材と、
対向する第１及び第２のジョー部材と、を備え、
前記第１のジョー部材は前記本体部材にヒンジ動作可能に連結され、前記第１のジョー部材は第１端及び第２端を有する第１の油圧シリンダの動作によって前記本体部材に対してヒンジ動作し、前記第１の油圧シリンダの前記第１端が前記第１のジョー部材に連結され、前記第１の油圧シリンダの前記第２端が、前記本体部材と前記第１のジョー部材の間の前記ヒンジ動作可能な連結部の遠位側で前記第１のウィング部材の一部分に連結され、
前記第２のジョー部材は前記本体部材にヒンジ動作可能に連結され、前記第２のジョー部材は第１端及び第２端を有する第２の油圧シリンダの動作によって前記本体部材に対してヒンジ動作し、前記第２の油圧シリンダの前記第１端が前記第２のジョー部材に連結され、前記第２の油圧シリンダの前記第２端が、前記本体部材と前記第２のジョー部材の間の前記ヒンジ動作可能な連結部の遠位側で前記第２のウィング部材の一部分に連結され、
前記第１及び第２のウィング部材が、前記第１及び第２の油圧シリンダのそれぞれの前記第２端を前記ブームクレーンのブームの一端または前記本体部材と前記ブームクレーンのブームとの間の連結部の後方に位置決めするように伸び、
前記第１及び第２のウィング部材が、前記ベースから後方向横方向外方に伸び、前記第１及び第２のジョー部材が完全に閉じた位置と完全に開いた位置との間の全範囲で移動できるように、前記第１及び第２の油圧シリンダのそれぞれの前記第２端を前記第１及び第２の油圧シリンダのそれぞれの前記第１端の横方向外側に位置決めし、前記第１及び第２の油圧シリンダは前記第１及び第２の油圧シリンダの前記第１端から前記第１及び第２の油圧シリンダの前記第２端へ分かれて拡がり、
前記完全に開いた位置では、前記第１及び第２の油圧シリンダのそれぞれの前記第１端が、前記第１及び第２のジョー部材のそれぞれと前記本体部材との間の前記ヒンジ動作可能な連結部の後方にあり、
前記完全に開いた位置で、前記第１及び第２のジョー部材が前記本体部材を実質的に超えて延びない、
ことを特徴とするグラップル。
【請求項２】
前記本体部材が、１次本体部材と２次本体部材とを備え、前記１次本体部材は前記ブームクレーンのブームの端部に固定して取り付けることができ、前記２次本体部材は連結部によって前記１次本体部材に関節連結され、前記第１及び第２のジョー部材が前記２次本体部材にヒンジ動作可能に連結され、前記２次本体部材は前記第１及び第２のウィング部材を有する、
請求項１に記載のグラップル。
【請求項３】
前記２次本体部材が、前記連結部によって前記１次本体部材にヒンジ動作可能に連結されている、
請求項２に記載のグラップル。
【請求項４】
前記第１及び第２のジョー部材が、それぞれ、前記１次本体部材と前記２次本体部材との間の前記ヒンジ動作可能な連結部の枢動軸に直交する枢動軸を中心にヒンジ動作可能に前記本体部材に連結されている、
請求項３に記載のグラップル。
【請求項５】
第１端及び第２端を有する第３の油圧シリンダを備え、前記第３の油圧シリンダの前記第１端が前記２次本体部材に連結され、前記第３の油圧シリンダの前記第２端が前記２次本体部材の遠位側で前記１次本体部材、即ち前記ブームクレーンのブームに連結するように構成され、これによって、前記２次本体部材が、前記第３の油圧シリンダの動作によって前記１次本体部材対してヒンジ動作する、
請求項２ないし４の何れか１項に記載のグラップル。
【請求項６】
前記第１及び第２のウィング部材が、前記第１及び第２の油圧シリンダのそれぞれの前記第２端を前記１次本体部材と前記２次本体部材との間の前記連結部の後方に位置決めするように前記２次本体部材から伸びる、
請求項５に記載のグラップル。
【請求項７】
前記第１及び第２のウィング部材が、前記第１及び第２の油圧シリンダのそれぞれの前記第２端を前記１次本体部材の後方に位置決めするように前記２次本体部材から伸びる、
請求項２ないし６の何れか１項に記載のグラップル。
【請求項８】
前記１次本体部材が、第１のベアリング部材と第２のベアリング部材とを有し、前記２次本体部材が前記１次本体部材に対してヒンジ動作するとき、前記第１のウィング部材が、前記第１のベアリング部材上をスライドし、前記第２のウィング部材が、前記第２のベアリング部材をスライドする、
請求項４ないし７の何れか１項に記載のグラップル。
【請求項９】
前記２次本体部材が、Ｕ字形状ベースを備え、前記第１及び第２のウィング部材のそれぞれが、前記Ｕ字形状ベースの外側から伸び、前記Ｕ字形状ベースの内側が、前記１次本体部材の前記第１及び第２のベアリング部材上をスライドする、
請求項８に記載のグラップル。
【請求項１０】
前記完全に開いた位置では、前記第１及び第２の油圧シリンダのそれぞれの前記第１端が、前記１次本体部材と前記２次本体部材との間の連結部の後方にある、
請求項１ないし９の何れか１項に記載のグラップル。
【請求項１１】
前記ブームが、吊り上げ要素を取り付けるためのブームアイを備え、前記第１及び第２のウィング部材が、前記第１及び第２の油圧シリンダのそれぞれの前記第２端を前記ブームアイの後方に位置決めする、
請求項１０に記載のグラップル。
【手続補正書】
【提出日】令和3年9月16日(2021.9.16)
【手続補正１】
【補正対象書類名】明細書
【補正対象項目名】００６５
【補正方法】変更
【補正の内容】
【００６５】
詳細には、衝突センサモジュール５０、５は光学的な衝突センサモジュールである。図示される実施例において、衝突センサモジュールは５つの光学的な間隔測定ユニット５００又は５つの、特に水平に重なり合う、光ビーム領域ａ、ｂ、ｃ、ｄ、ｅを備えた光学系を有している。代替的な実施形態において、衝突センサモジュールはより多い、あるいはより少ない間隔測定ユニット又は光学系、２つの光ビーム領域を備えた少なくとも２つの光学系を有することができる。間隔測定ユニット５００は、共通の頂点へ向けて方向づけされている。図示される実施例において、間隔測定ユニット５００はそれぞれ３５°の角度間隔で配置されているので、少なくとも１４０°の検出領域が形成される。さらにドライバーレスのレール車両３は、少なくとも１つのシャーシ６０、６１を有している。図示される実施例において、レール車両３は２つのシャーシ６０、６１を有している。代替的な実施例において、レール車両は唯一のシャーシのみを有することができる。シャーシ６０、６１には、衝突センサモジュール５０、５１が配置されている。詳細には、衝突センサモジュール５０、５１もしくはその検出領域ＥＢは、検出領域ＥＢの中心がシャーシ６０、６１の、特に長手軸の、延長上に位置するように、方向づけされている。
【手続補正２】
【補正対象書類名】明細書
【補正対象項目名】００６７
【補正方法】変更
【補正の内容】
【００６７】
さらにドライバーレスのレール車両３は、２つのシャーシ６０、６１を有しており、その場合に一方のシャーシが前方のシャーシ６０であり、他方のシャーシが後方のシャーシ６１である。前方のシャーシ６０に、前方の衝突センサモジュール５０が配置されている。後方のシャーシ６１には、後方の衝突センサモジュール５１が配置されている。
【手続補正３】
【補正対象書類名】特許請求の範囲
【補正対象項目名】全文
【補正方法】変更
【補正の内容】
【特許請求の範囲】
【請求項１】
製造、組立て及び／又はロジスティックスのプロセス用のドライバーレスのレール車両（３）であって、前記レール車両が材料移送のためにレール（２１）に沿って移動可能であり、
−ドライバーレスのレール車両（３）が少なくとも１つのシャーシ（６０、６１）を有し、
−ドライバーレスのレール車両（３）が少なくとも１つの衝突センサモジュール（５０、５１）を有しており、前記衝突センサモジュールがレール（２１）上の他のレール車両（３）を検出して、他のレール車両（３）との衝突を回避するように形成されている、
ものは、
少なくとも１つの衝突センサモジュール（５０、５１）が、少なくとも１４０度の検出領域（ＥＢ）を有し、かつ
少なくとも１つの衝突センサモジュール（５０、５１）が光学的な衝突センサモジュールであり、かつ共通の頂点へ向かって方向づけされた複数の光学的な間隔測定ユニットを有している、
ことを特徴とするドライバーレスのレール車両。
【請求項２】
ドライバーレスのレール車両（３）が少なくとも１つのシャーシ（６０、６１）を有しており、シャーシ（６０、６１）に衝突センサモジュール（５０、５１）が配置されている、ことを特徴とする請求項１に記載のドライバーレスのレール車両（３）。
【請求項３】
ドライバーレスのレール車両が材料移送のためにレール（２１）に沿って前方と後方へ移動可能であり、
−ドライバーレスのレール車両（３）が、前方の衝突センサモジュール（５０）と後方の衝突センサモジュール（５１）を有し、
−前方の衝突センサモジュール（５０）が、レール車両（３）の前方のレール（２１）上の他のレール車両（３）を検出し、かつ他のレール車両（３）との衝突を回避するように形成されており、
−後方の衝突センサモジュール（５１）が、レール車両（３）の後方のレール（２１）上の他のレール車両（３）を検出し、かつ他のレール車両（３）との衝突を回避するように形成されている、
ことを特徴とする請求項１又は２に記載のドライバーレスのレール車両（３）。
【請求項４】
ドライバーレスのレール車両（３）が前方のシャーシ（６０）と後方のシャーシ（６１）を有し、前方のシャーシ（６０）に前方の衝突センサモジュール（５０）が配置されており、かつ後方のシャーシ（６１）に後方の衝突センサモジュール（５１）が配置されている、ことを特徴とする請求項３に記載のドライバーレスのレール車両（３）。
【請求項５】
ドライバーレスのレール車両（３）が少なくとも１つの電気走行駆動装置（３０）と少なくとも１つの集電装置（３１）とを有しており、それらがシャーシ（６０、６１）内に統合されている、ことを特徴とする請求項２又は４に記載のドライバーレスのレール車両（３）。
【請求項６】
製造、組立て及び／又はロジスティックスのプロセス用の移送システム（１）であって、
−少なくとも１つのレール（２１）及び
−請求項１から５のいずれか１項に記載のドライバーレスのレール車両（３）を複数、有しており、前記レール車両が少なくとも１つのレール（２１）に沿って材料移送のためにセンサ監視されて移動可能である、
移送システム。
【請求項７】
−少なくとも１つのトランスポンダー（８０）を有し、前記トランスポンダーがレール（２１）の領域に配置するように形成されており、かつレール車両（３）のための少なくとも１つの情報（Ｉｎｆｏ）を有しており、
−レール車両（３）が、トランスポンダー（８０）から情報（Ｉｎｆｏ）を読み出すための読取り装置（８１）を有している、
ことを特徴とする請求項６に記載の移送システム。
【請求項８】
トランスポンダー（８０）がパッシブなトランスポンダーである、ことを特徴とする請求項７に記載の移送システム（１）。
【請求項９】
パッシブなトランスポンダー（８０）がＲＦＩＤタグを有し、かつ読取り装置（８１）がＲＦＩＤ読取り装置である、ことを特徴とする請求項８に記載の移送システム（１）。
【請求項１０】
ドライバーレスのレール車両（３）が、少なくとも１つのシャーシ（６０、６１）を有しており、シャーシ（６０、６１）に読取り装置（８１）が配置されている、ことを特徴とする請求項７から９のいずれか１項に記載の移送システム（１）。
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
軸方向において近位端部から遠位端部に延在する導電材料製の細長本体を備える電気手術ペンシル用の電極であって、
前記近位端部は、前記電気手術ペンシルと係合するように構成され、
前記遠位端部は、前記電気手術ペンシルから受けた電気手術エネルギーによって組織の切開又は凝固を行うように構成されたブレードを形成し、
前記ブレードは、中間面の両側に位置して前記中間面を貫通する縁によって互いに接合された２つの主面部分によって画定され、
前記縁は、平滑部分を備え、
前記主面部分は、第１の表面粗さを有し、
前記縁の前記平滑部分は、前記第１の表面粗さよりも小さい第２の表面粗さを有し、
少なくとも前記主面部分は、表面皮膜によって被覆され、
前記縁の前記平滑部分は、前記表面皮膜によって被覆されておらず、
前記第１の表面粗さは、２．０Ｒａ〜４．０Ｒａの範囲内にあり、前記第２の表面粗さは、０．５Ｒａ〜１．５Ｒａの範囲内にある、電極。
【請求項２】
前記縁は、軸方向に延在する２つの軸方向縁と、前記遠位端部において前記ブレードを終端させる１つの先端縁とを形成し、前記平滑部分は、前記２つの軸方向縁の少なくとも一部によって構成され、前記先端縁は、前記平滑部分よりも大きい粗さを有している、請求項１に記載の電極。
【請求項３】
前記縁は、軸方向に延在する２つの軸方向縁と、前記遠位端部において前記ブレードを終端させる１つの先端縁とを形成し、前記平滑部分は、前記２つの軸方向縁の少なくとも一部及び前記先端縁の一部によって構成されている、請求項１に記載の電極。
【請求項４】
前記表面皮膜は、前記縁の前記平滑部分の摩擦よりも小さい摩擦を有する、先行する請求項のいずれかに記載の電極。
【請求項５】
前記表面皮膜は、シリコーンを含む、先行する請求項のいずれかに記載の電極。
【請求項６】
前記表面皮膜は、不均一な皮膜厚みを有する、先行する請求項のいずれかに記載の電極。
【請求項７】
前記第２の表面粗さＲａは、前記第１の表面粗さＲａの半分よりも小さい、先行する請求項のいずれかに記載の電極。
【請求項８】
前記縁の第１の部分は、前記表面皮膜によって被覆され、前記縁の第２の部分は、前記表面皮膜によって被覆されておらず、前記縁の第２の部分は、前記縁の前記平滑部分である、請求項１に記載の電極。
【請求項９】
前記第１の部分は、第１の縁表面粗さを有し、前記第２の部分は、前記第１の縁表面粗さよりも小さい第２の縁表面粗さを有する、請求項８に記載の電極。
【請求項１０】
前記縁の前記第１の部分を被覆する前記表面皮膜は、前記主面部分への表面皮膜の厚みの１．１〜１．３倍の範囲内にある、請求項１に記載の電極。
【請求項１１】
前記縁は、軸方向に延在する２つの軸方向縁及び前記遠位端部において前記ブレードを終端させる１つの先端縁を備え、軸方向コーナーが主面部分と前記軸方向縁との間に移行部を形成し、先端コーナーが主面部分と前記先端縁との間に移行部を形成し、前記先端コーナー及び軸方向コーナーの少なくとも１つは、被覆されていない、先行する請求項のいずれかに記載の電極。
【請求項１２】
前記縁は、軸方向に延在する２つの軸方向縁及び前記遠位端部において前記ブレードを終端させる１つの先端縁を備え、軸方向コーナーが主面部分と前記軸方向縁との間に移行部を形成し、先端コーナーが主面部分と前記先端縁との間に移行部を形成し、前記先端コーナー及び前記軸方向コーナーは、いずれも被覆されていない、先行する請求項のいずれかに記載の電極。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
対象者の肺系に液滴の放出流として流体を送達するための電子作動されるインライン液滴送達装置であって、
実質的にインラインの配向において構成されたハウジングと、
前記装置の空気流出口に配置されたマウスピースと、
前記装置の空気流入口で前記空気流に配置された空気入口流れ要素と、
一定量の流体を受容するために、前記ハウジング内に又は前記ハウジングと流体連通するように配置された貯蔵部と、
前記貯蔵部と流体連通し、前記液滴の放出流を生成するように構成された、電子作動される噴出器機構と、
前記ハウジング内に配置された少なくとも１つの差圧センサーと、
を備え、
前記少なくとも１つの差圧センサーは、前記マウスピース内の所定の圧力変化を感知すると前記噴出器機構を作動させ、それにより前記液滴の放出流を生成するように構成され、
前記噴出器機構は、圧電アクチュエータ及びアパーチャプレートを備え、前記アパーチャプレートは、その厚さを通して形成された複数の開口を有し、前記圧電アクチュエータは、前記アパーチャプレートを振動させて前記液滴の放出流を生成し、
前記ハウジング、空気入口流れ要素、及びマウスピースは、前記アパーチャプレートの出口側を横切る非乱流空気流を促進し、使用中に前記ハウジングを通る十分な空気流を提供するように構成され、
前記噴出器機構は、液滴の放出流の質量の少なくとも約５０％が、使用中に前記対象者の肺系に呼吸に適した範囲で送達されるように、少なくとも約５０％の前記液滴が約６ミクロン未満の平均放出液滴直径を有する前記液滴の放出流を生成するように構成される、
インライン液滴送達装置。
【請求項２】
前記ハウジングおよび噴出器機構は、前記アパーチャプレートの前記出口側が前記空気流の方向に垂直であり、かつ前記液滴の流れが前記空気流の方向に平行に放出されるように配向される、請求項１に記載の液滴送達装置。
【請求項３】
前記ハウジングおよび前記噴出器機構は、前記アパーチャプレートの前記出口側が前記空気流の方向に平行であり、かつ前記液滴の流れが前記空気流の方向に実質的に垂直に放出されるように配向され、前記液滴の放出流が前記ハウジングから排出される前に約９０度軌跡を変化して前記ハウジングを通って導かれるように前記ハウジングに関して方向付けられる、請求項１に記載の液滴送達装置。
【請求項４】
前記空気入口流れ要素が前記マウスピース内に配置される、請求項１に記載の液滴送達装置。
【請求項５】
前記空気入口流れ要素は、前記空気流の方向に沿って前記アパーチャプレートの前記出口側の後方に配置される、請求項４に記載の液滴送達装置。
【請求項６】
前記空気入口流れ要素が、前記空気流の方向に沿って前記アパーチャプレートの前記出口側にインラインで又は当該出口側の前方に配置される、請求項４に記載の液滴送達装置。
【請求項７】
前記空気入口流れ要素が、貫通して形成されて使用中に前記液滴送達装置内の内部圧力抵抗を増加または減少させるように構成された１つまたは複数の開口を備える、請求項１に記載の液滴送達装置。
【請求項８】
前記空気入口流れ要素は、１つ又は複数の開口のアレイを備える、請求項７に記載の液滴送達装置。
【請求項９】
前記空気入口流れ要素が１つ又は複数のバッフルを備える、請求項７に記載の液滴送達装置。
【請求項１０】
前記１つ又は複数のバッフルが１つ又は複数の空気流開口を備える、請求項９に記載の液滴送達装置。
【請求項１１】
前記アパーチャプレートがドーム型形状を備える、請求項１に記載の液滴送達装置。
【請求項１２】
前記アパーチャプレートが、ポリエーテルエーテルケトン（ＰＥＥＫ）、ポリイミド、ポリエーテルイミド、ポリフッ化ビニリデン（ＰＶＤＦ）、超高分子量ポリエチレン（ＵＨＭＷＰＥ）、ニッケル、ニッケルコバルト、ニッケルパラジウム、パラジウム、プラチナ、それらの合金、及びそれらの組み合わせからなるグループから選択される材料から構成される、請求項１に記載の液滴送達装置。
【請求項１３】
前記複数の開口のうちの１つ以上が異なる断面形状または直径を有し、それにより異なる平均放出液滴直径を有する放出液滴を提供する、請求項１に記載の液滴送達装置。
【請求項１４】
前記マウスピースは、前記装置と取り外し可能に結合される、請求項１に記載の液滴送達装置。
【請求項１５】
前記貯蔵部が前記ハウジングと取り外し可能に結合されている、請求項１に記載の液滴送達装置。
【請求項１６】
前記貯蔵部が前記噴出器機構に結合されて結合貯蔵部／噴出器機構モジュールを形成し、前記結合貯蔵部／噴出器機構モジュールが前記ハウジングと取り外し可能に結合されている、請求項１に記載の液滴送達装置。
【請求項１７】
無線通信モジュールを更に備える、請求項１に記載の液滴送達装置。
【請求項１８】
前記装置が、赤外線送信機、光検出器、追加の圧力センサー、及びそれらの組み合わせから選択される１つ又は複数のセンサーを更に備える、請求項１に記載の液滴送達装置。
【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
超音波撮像システムであって、
超音波信号を生成し、反射エコー信号を受信する超音波プローブと、
前記超音波信号の生成及び前記受信反射エコー信号の処理を制御する処理システムと、
受信超音波画像を表示するディスプレイと、
前記超音波信号の生成及び/又は前記受信反射エコー信号の処理を制御するユーザコマンドを受信するユーザインターフェースと
を有し、
前記ユーザインターフェースは、表示される超音波画像の点又は領域を識別するユーザ入力を受信するように構成され、
前記処理システムは、解剖学的特徴識別及び/又は前記識別される点又は領域に関連付けられる画像深度を導出し、前記超音波信号の生成及び前記受信反射エコー信号の処理を制御して、前記導出される解剖学的特徴識別及び/又は画像深度に基づいてそれらを前記識別される点又は領域に適合させるように構成される
超音波撮像システム。
【請求項２】
前記処理システムは、
フレームレートと、
コントラストと、
ゲイン設定と、
焦点ゾーンと
の一つ又はそれより多くを調整するように構成される、請求項１に記載のシステム。
【請求項３】
前記処理システムは、導出される深度に応じて前記周波数を調整するように構成される、請求項１乃至２の何れか一項に記載のシステム。
【請求項４】
前記処理システムは、前記受信信号を最大化するために前記周波数を適合させるように構成される、請求項１乃至３の何れか一項に記載のシステム。
【請求項５】
前記処理システムは、前記画像内の解剖学的構造を識別し、前記識別される点又は領域で解剖学的構造を識別し、前記超音波信号の生成及び/又は前記受信反射エコー信号の処理を制御してそれらを前記識別される解剖学的構造に適合させるように構成される、請求項１乃至４の何れか一項に記載のシステム。
【請求項６】
前記ユーザインターフェースは、さらなるコマンドを受信するように構成され、
前記さらなるコマンドは、焦点深度調整が望ましいことを示し、前記処理システムは、前記導出される深度に応じて前記周波数を調整するように構成され、
前記さらなるコマンドは、前記焦点ゾーン調整が望ましいことを示し、前記処理システムは、前記導出される深度に応じて、前記焦点での前記ビームの幅及び前記焦点深度を調整するように構成され、
前記さらなるコマンドは、視野調整が望ましいことを示し、前記処理システムは、前記導出される深度に応じて前記視野を調整するように構成され、又は
前記さらなるコマンドは、時間ゲイン補償調整が望ましいことを示し、前記処理システムは、前記導出される深度に応じて前記時間ゲイン補償を調整するように構成される
請求項１乃至５の何れか一項に記載のシステム。
【請求項７】
前記ユーザインターフェースは、前記さらなるコマンドを、
タッチスクリーンピンチコマンドと、
シングルクリックマウス又はタッチスクリーンコマンドと、
ダブルクリックマウス又はタッチスクリーンコマンドと、
2本指のタッチスクリーンインタラクションと、
マウス又はタッチスクリーンスライダーインタラクションと、
オプションのリストからの選択と
の一つ又はそれより多くとして受信するように構成される、請求項６に記載のシステム。
【請求項８】
前記ユーザインターフェースは、点又は領域を、
タッチスクリーン点識別と、
タッチスクリーン上に描かれる領域と、
マウスを使用するシングルクリック点識別と、
マウスを使用して描画される領域と
の一つ又はそれより多くとして識別する前記ユーザ入力を受信するように構成される、請求項１乃至７の何れか一項に記載のシステム。
【請求項９】
超音波撮像方法であって、
超音波信号を生成し、反射エコー信号を受信及び処理するステップと、
受信超音波画像を表示するステップと、
前記超音波信号の生成及び/又は前記受信反射エコー信号の処理を制御するためのユーザコマンドを受信するステップであって、前記ユーザコマンドは、表示される超音波画像の点又は領域を識別する、ステップと
を有し、
前記方法は、前記識別される点又は領域に関連付けられる解剖学的特徴識別及び/又は画像深度を導出するステップと、前記超音波信号の生成及び前記受信反射エコー信号の処理を制御して、前記導出される解剖学的特徴識別及び/又は画像深度に基づいてそれらを前記識別される点又は領域に適合させるステップとを有する
方法。
【請求項１０】
前記フレームレートと、
前記コントラストと、
前記ゲイン設定と、
前記焦点ゾーンと
の一つ又はそれより多くを調整するステップを有する、請求項９に記載の方法。
【請求項１１】
導出される深度に応じて前記周波数を適合させるステップを有する、請求項９乃至１０の何れか一項に記載の方法。
【請求項１２】
前記画像内の解剖学的構造を識別し、前記識別される点又は領域で解剖学的構造を識別するステップと、
前記超音波信号の生成及び/又は前記受信反射エコー信号の処理を制御して、それらを識別される解剖学的構造に適合させるステップと
を有する、請求項９乃至１１の何れか一項に記載の方法。
【請求項１３】
さらなるユーザコマンドを受信するステップを有し、
前記さらなるコマンドは、焦点深度調整が望ましいことを示し、前記方法は、前記導出される深度に応じて前記周波数を適合させるステップを有し、又は
前記さらなるコマンドは、焦点ゾーン調整が望ましいことを示し、前記方法は、前記導出される深度に応じて、前記焦点での前記ビームの幅及び前記焦点深度を調整するステップを有し、又は
前記さらなるコマンドは、視野調整が望ましいことを示し、前記方法は、前記導出される深度に応じて前記視野を調整するステップを有し、又は
前記さらなるコマンドは、時間ゲイン補償調整が望ましいことを示し、前記方法は、前記導出される深度に応じて前記時間ゲイン補償を適合させるステップを有する、
請求項９乃至１２の何れか一項に記載の方法。
【請求項１４】
タッチスクリーンピンチコマンドと、
シングルクリックマウス又はタッチスクリーンコマンドと、
ダブルクリックマウス又はタッチスクリーンコマンドと、
2本指のタッチスクリーンインタラクションと、
マウス又はタッチスクリーンスライダーインタラクションと、    
オプションのリストからの選択と
の一つ又はそれより多くとして前記さらなるコマンドを受信するステップを有する、請求項１３に記載の方法。
【請求項１５】
前記プログラムがコンピュータ上で実行されるとき、請求項１０乃至１４の何れか１項に記載の制御するステップ、処理するステップ、導出するステップ、適合させるステップ、識別するステップ、及び調整するステップを実施するように構成されるコンピュータプログラムコード手段を有するコンピュータプログラム。
【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
ＭＲデバイスの検査ボリューム内に置かれた物体のＭＲイメージング方法であって、
前記物体の瞬間的体動によって誘発された変位を検出するステップａと、
検出された前記変位を１つの体動状態に帰属させるステップｂであって、各体動状態が変位の複数の連続範囲のうちの１つの範囲に対応する、前記ステップｂと、
初期角度座標から開始して、各体動状態について個別に角度座標をインクリメントすることによって、ラジアルｋ空間プロファイル又はスパイラルｋ空間プロファイルの前記角度座標を決定するステップｃであって、異なる初期角度座標が各体動状態に帰属している、前記ステップｃと、
ｋ空間プロファイルを収集するステップｄと、
前記ステップａ〜ｄを何回か繰り返すステップと、
少なくとも前記体動状態のうちの１つに帰属する前記ｋ空間プロファイルからＭＲ画像を再構成するステップと、
を含む、方法。
【請求項２】
前記体動状態のうちの少なくとも１つに帰属する収集されたｋ空間プロファイルのすべてが、ｋ空間における十分に密にサンプリングされた円形又は球状領域に広がり、そこから前記ＭＲ画像が再構成されるまで、前記ステップａ〜ｄは繰り返される、請求項１に記載の方法。
【請求項３】
前記ラジアルｋ空間プロファイルは、前記ｋ空間プロファイルが平面内で回転される当該平面に垂直なスライス方向に沿って隣接位置に配置された多数の平行スライスから収集される、請求項１又は２に記載の方法。
【請求項４】
前記角度座標は、黄金角方式に従ってインクリメントされる、請求項１から３のいずれか一項に記載の方法。
【請求項５】
前記瞬間的体動によって誘発された変位は、固有のナビゲータ信号として以前の反復において収集されたｋ空間プロファイルから導出される、請求項１から４のいずれか一項に記載の方法。
【請求項６】
前記瞬間的体動によって誘発された変位は、ナビゲータ信号を収集することによって検出される、請求項１から４のいずれか一項に記載の方法。
【請求項７】
前記瞬間的体動によって誘発された変位は、動きセンサを使用することによって検出される、請求項１から６のいずれか一項に記載の方法。
【請求項８】
前記ＭＲ画像は、少なくとも２つの前記体動状態に帰属するＭＲ信号から再構成される、請求項１から７のいずれか一項に記載の方法。
【請求項９】
個々のＭＲ画像が、少なくとも２つの体動状態のそれぞれについて再構成され、前記個々のＭＲ画像は、レジストレーションアルゴリズムを使用して最終ＭＲ画像に組み合わされて、前記体動状態間の前記瞬間的体動によって誘発された変位が補正される、請求項１から８のいずれか一項に記載の方法。
【請求項１０】
前記ＭＲ画像は、非デカルトＳＥＮＳＥ又は圧縮センシングを使用して再構成される、請求項１から９のいずれか一項に記載の方法。
【請求項１１】
検査ボリューム内に均一な静磁場を発生させる少なくとも１つの主磁石コイルと、前記検査ボリューム内で異なる空間方向に切り替え傾斜磁場を発生させる幾つかの傾斜磁場コイルと、前記検査ボリューム内でＲＦパルスを発生させる及び／又は前記検査ボリューム内に置かれた物体からのＭＲ信号を受信する少なくとも１つのＲＦコイルと、ＲＦパルス及び切り替え傾斜磁場の時間的連続を制御する制御ユニットと、受信した前記ＭＲ信号からＭＲ画像を再構成する再構成ユニットと、を含み、
前記物体の瞬間的体動によって誘発された変位を検出するステップａと、
検出された前記変位を１つの体動状態に帰属させるステップｂであって、各体動状態が変位の複数の連続範囲のうちの１つの範囲に対応する、前記ステップｂと、
初期角度座標から開始して、各体動状態について個別に角度座標をインクリメントすることによって、ラジアルｋ空間プロファイル又はスパイラルｋ空間プロファイルの前記角度座標を決定するステップｃであって、異なる初期角度座標が各体動状態に帰属している、前記ステップｃと、
ｋ空間プロファイルを収集するステップｄと、
前記ステップａ〜ｄを何回か繰り返すステップと、
少なくとも前記体動状態のうちの１つに帰属する前記ｋ空間プロファイルからＭＲ画像を再構成するステップと、
を行う、ＭＲデバイス。
【請求項１２】
物体の瞬間的体動によって誘発された変位を検出するステップａと、
検出された前記変位を１つの体動状態に帰属させるステップｂと、
初期角度座標から開始して、各体動状態について個別に角度座標をインクリメントすることによって、ラジアルｋ空間プロファイル又はスパイラルｋ空間プロファイルの前記角度座標を決定するステップｃと、
ｋ空間プロファイルを収集するステップｄと、
前記ステップａ〜ｄを何回か繰り返すステップと、
少なくとも前記体動状態のうちの１つに帰属する前記ｋ空間プロファイルからＭＲ画像を再構成するステップとを、行うための命令を含み、
各体動状態が変位の複数の連続範囲のうちの１つの範囲に対応し、
異なる初期角度座標が各体動状態に帰属する、
ＭＲデバイス上で実行されるコンピュータプログラム。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
触覚アクチュエータを操作する方法であって、
前記方法は
ユーザの一つ以上の状態を検出するステップと、
前記ユーザの前記一つ以上の状態を一つ以上の所定の活性化パラメータと比較して、前記ユーザが、前記ユーザの疾患に関連する症状の緩和を必要とする症状の発現を体験しているかどうかを判別するステップと、及び、
触覚アクチュエータを活性化して前記ユーザに熱的及び／又は物理的感覚を提供し、症状の発現の間に、ユーザが知覚する主観的な症状の緩和を提供するステップと
を含む、方法。
【請求項２】
前記ユーザからのインプットに応答して、症状の緩和の間に前記触覚アクチュエータの一つ以上の操作パラメータを更新して望ましい主観的な量の症状の緩和を提供するステップを、更に含む、請求項１に記載の方法。
【請求項３】
前記症状の発現が前記ユーザの疾患に関連していたことを前記ユーザに確認するステップと、及び、
前記ユーザの前記一つ以上の状態と、前記症状の発現が前記ユーザの疾患に関連していたかどうかとに、少なくとも部分的に基づいて、前記一つ以上の所定の活性化パラメータを更新するステップと
を更に含む、請求項１又は２に記載の方法。
【請求項４】
前記一つ以上の所定の活性化パラメータは、強化学習プロトコルを用いて更新される、請求項３に記載の方法。
【請求項５】
前記ユーザの疾患を識別するステップを、更に含む、請求項１〜４のいずれか一に記載の方法。
【請求項６】
前記一つ以上の所定の活性化パラメータが、前記ユーザの識別された疾患に基づいて初期設定に設定される、請求項５に記載の方法。
【請求項７】
前記ユーザの疾患がホットフラッシュである、請求項１〜６のいずれか一に記載の方法。
【請求項８】
出来事のログを作成するための前記触覚アクチュエータの活性化に関する情報を記録するステップを、更に含み、
前記情報は、タイムスタンプ、前記触覚アクチュエータの一つ以上の操作パラメータ、及び、前記ユーザの一つ以上の状態、から成るグループから選択される少なくとも一つを含む、
請求項１〜７のいずれか一に記載の方法。
【請求項９】
前記ユーザの疾患に関連する出来事のログを含む前記情報を遠隔配置のデータベースに送信するステップを、更に含む、請求項８に記載の方法。
【請求項１０】
触覚アクチュエータであって、
ユーザに熱的及び／又は物理的刺激を加えるように構成された一つ以上の熱的及び／又は物理的アクチュエータと、及び、
前記一つ以上の熱的及び又は物理的アクチュエータに操作上結合するコントローラと
を含み、
前記コントローラは、
ユーザの一つ以上の状態を検出し、
前記ユーザの前記一つ以上の状態を一つ以上の所定の活性化パラメータと比較して、前記ユーザが、前記ユーザの疾患に関連する症状の緩和を必要とする症状の発現を体験しているかどうかを判別し、及び、
前記一つ以上の熱的及び／又は物理的アクチュエータを活性化して前記ユーザに熱的及び／又は物理的感覚を提供し、症状の発現の間に、ユーザが知覚する主観的な症状の緩和を提供する
ように構成されている、触覚アクチュエータ。
【請求項１１】
前記コントローラは、
前記ユーザからのインプットに応答して、症状の緩和の間に前記触覚アクチュエータの一つ以上の操作パラメータを更新して望ましい主観的な量の症状の緩和を提供する
ように構成されている、請求項１０に記載の触覚アクチュエータ。
【請求項１２】
前記症状の発現が前記ユーザの疾患に関連していたことを前記ユーザに確認し、及び、
前記ユーザの前記一つ以上の状態と、前記症状の発現が前記ユーザの疾患に関連していたかどうかとに、少なくとも部分的に基づいて、前記一つ以上の所定の活性化パラメータを更新する
ように構成されている、請求項１０又は１１に記載の触覚アクチュエータ。
【請求項１３】
前記コントローラは、
前記一つ以上の所定の活性化パラメータを、強化学習プロトコルを用いて更新する
ように構成されている、請求項１２に記載の触覚アクチュエータ。
【請求項１４】
前記コントローラは、
前記ユーザの疾患を識別する
ように構成されている、請求項１０〜１３のいずれか一に記載の触覚アクチュエータ。
【請求項１５】
前記一つ以上の所定の活性化パラメータが、前記ユーザの識別された疾患に基づいて初期設定に設定される、請求項１４に記載の触覚アクチュエータ。
【請求項１６】
前記ユーザの疾患がホットフラッシュである、請求項１０〜１５のいずれか一に記載の触覚アクチュエータ。
【請求項１７】
前記コントローラは、
出来事のログを作成するための前記触覚アクチュエータの活性化に関する情報を記録するように構成されており、
前記情報は、タイムスタンプ、前記触覚アクチュエータの一つ以上の操作パラメータ、及び、前記ユーザの一つ以上の状態、から成るグループから選択される少なくとも一つを含む、
請求項１０〜１６のいずれか一に記載の触覚アクチュエータ。
【請求項１８】
前記コントローラは、
前記ユーザの疾患に関連する出来事のログを含む前記情報を遠隔配置のデータベースに送信する
ように構成されている、請求項１７に記載の触覚アクチュエータ。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
磁気共鳴イメージング用のボディコイルと、
前記ボディコイルに接続され、前記ボディコイルにＲＦ信号を供給するＲＦ増幅器と、
前記ＲＦ増幅器の端子において各ポートの反射電力を測定する測定ユニットと、
を含む、システムであって、
前記ボディコイルは、前記ボディコイルに前記ＲＦ信号を供給するための異なる２つのポートを含み、
前記ボディコイルは、前記ボディコイルに前記ＲＦ信号を供給するための１つのポートのみを一度に選択的に作動させるスイッチを含み、
前記２つのポートは、前記ボディコイルが付与される検査対象の重量からの、前記ボディコイルに供給される前記ＲＦ信号の反射部分の依存性が、前記２つのポートに対して異なるように、前記ボディコイルのそれぞれ異なる場所に位置し、
前記２つのポートは、前記２つのポートのそれぞれについて、前記ボディコイルが付与される前記検査対象の前記重量からの、前記ボディコイルに供給される前記ＲＦ信号の前記反射部分の前記依存性を表す関数が、前記検査対象の所定の特定の重量において単一の最小値を有するように、それぞれ前記異なる場所に位置し、
前記関数の前記最小値によって定義される前記検査対象の前記所定の特定の重量は、前記２つのポートに対して異なり、一方の所定の特定の重量は、重い検査対象に対応し、他方の所定の特定の重量は、より軽い検査対象に対応する、
システム。
【請求項２】
前記ボディコイルは、複数の導電性直線ラングによって互いに接続される２つの円形導電性ループからなる２つのエンドリングを含み、一方のポートは、ラングに位置し、他方のポートは、エンドリングに位置している、請求項１に記載のシステム。
【請求項３】
前記ラングに位置する前記ポートは、前記２つのエンドリング間の中間で前記ラングの中心に位置する、請求項２に記載のシステム。
【請求項４】
前記エンドリングに位置する前記ポートは、前記エンドリングのリングと接地との接続部に位置する、請求項２又は３に記載のシステム。
【請求項５】
前記ボディコイルに前記ＲＦ信号を供給するために、一度に１つのポートのみを選択的に作動させる前記スイッチは、前記ＲＦ増幅器から異なるポートにつながる別個のラインを含み、各ラインは、前記ボディコイルとの前記ＲＦ増幅器の接続を開閉するスイッチングダイオードをそれぞれ含む、請求項１に記載のシステム。
【請求項６】
前記スイッチングダイオードは、λ／４ケーブルの２つの部分の間にそれぞれ配置される、請求項５に記載のシステム。
【請求項７】
前記ボディコイルに接続され、前記ＲＦ増幅器の前記ＲＦ信号のモードに直交するモードを含むＲＦ信号を前記ボディコイルに供給する第２のＲＦ増幅器を含み、
前記第２のＲＦ増幅器は、前記ＲＦ増幅器と同様に前記ボディコイルに接続されるが、前記ボディコイルの中心軸の周りに９０°だけオフセットされている、請求項１に記載のシステム。
【請求項８】
磁気共鳴イメージング用のボディコイルと、
前記ボディコイルに接続され、前記ボディコイルからＲＦ信号を受信するＲＦ受信器と、
を含み、
前記ボディコイルは、前記ＲＦ受信器に前記ＲＦ信号を供給するための異なる２つのポートを含み、
前記ボディコイルは、前記ボディコイルから前記ＲＦ受信器に前記ＲＦ信号を供給するための１つのポートのみを一度に選択的に作動させるスイッチが設けられ、
前記２つのポートは、前記ＲＦ信号の受信特性が前記２つのポートに対して異なるように、前記ボディコイルのそれぞれ異なる場所に位置する、システム。
【請求項９】
ＲＦ増幅器によってＲＦ信号を磁気共鳴イメージングシステムのボディコイルに供給する方法であって、
前記ボディコイルは、前記ボディコイルに前記ＲＦ信号を供給するための異なる２つのポートを含み、
前記２つのポートは、前記ボディコイルが付与される検査対象の重量からの、前記ボディコイルに供給される前記ＲＦ信号の反射部分の依存性が、前記２つのポートに対して異なるように、また、前記２つのポートのそれぞれについて、前記ボディコイルが付与される前記検査対象の前記重量からの、前記ボディコイルに供給される前記ＲＦ信号の前記反射部分の前記依存性を表す関数が、前記検査対象の所定の特定の重量において単一の最小値を有するように、前記ボディコイルのそれぞれ異なる場所に位置し、
前記関数の前記最小値によって定義される前記検査対象の前記所定の特定の重量は、前記２つのポートに対して異なり、一方の所定の特定の重量は、重い検査対象に対応し、他方の所定の特定の重量は、より軽い検査対象に対応し、
前記方法は、
第１の期間の間、前記ボディコイルに前記ＲＦ信号を供給するために、一方のポートのみを選択的に作動させるステップと、
前記一方のポートの前記ＲＦ信号の前記反射部分を決定するステップと、
第２の期間の間、前記ボディコイルに前記ＲＦ信号を供給するために、他方のポートのみを選択的に作動させるステップと、
前記他方のポートの前記ＲＦ信号の前記反射部分を決定するステップと、
前記一方のポートの前記ＲＦ信号の前記反射部分の量と、前記他方のポートの前記ＲＦ信号の前記反射部分の量とを比較するステップと、
ＭＲＩ測定を行うために、前記ＲＦ信号の前記反射部分の量が少ない方のポートを作動させるステップと、
を含む、方法。
【請求項１０】
磁気共鳴イメージングシステムのボディコイルからＲＦ受信器にＲＦ信号を供給する方法であって、
前記ボディコイルは、前記ボディコイルから前記ＲＦ受信器に前記ＲＦ信号を供給するための異なる２つのポートを含み、
前記２つのポートは、前記ボディコイルが付与される検査対象の重量からの、前記ボディコイルに供給される前記ＲＦ信号の反射部分の依存性が、前記２つのポートに対して異なるように、また、前記２つのポートのそれぞれについて、前記ボディコイルが付与される前記検査対象の前記重量からの、前記ボディコイルに供給される前記ＲＦ信号の前記反射部分の前記依存性を表す関数が、前記検査対象の所定の特定の重量において単一の最小値を有するように、前記ボディコイルのそれぞれ異なる場所に位置し、
前記関数の前記最小値によって定義される前記検査対象の前記所定の特定の重量は、前記２つのポートに対して異なり、
一方の所定の特定の重量は、重い検査対象に対応し、他方の所定の特定の重量は、より軽い検査対象に対応し、
前記方法は、
第１の期間の間、前記ボディコイルから前記ＲＦ受信器に前記ＲＦ信号を供給するために、一方のポートのみを選択的に作動させるステップと、
前記一方のポートの前記ＲＦ信号の受信特性を決定するステップと、
第２の期間の間、前記ボディコイルから前記ＲＦ受信器に前記ＲＦ信号を供給するために、他方のポートのみを選択的に作動させるステップと、
前記他方のポートの前記ＲＦ信号の受信特性を決定するステップと、
前記一方のポートの前記ＲＦ信号の前記受信特性と、前記他方のポートの前記ＲＦ信号の前記受信特性とを比較するステップと、
ＭＲＩ測定を行うために、前記ＲＦ信号の前記受信特性が優れている方のポートを作動させるステップと、
を含む、方法。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
カテーテルシステムであって、
カテーテルアセンブリであって、
遠位端部、近位端部、前記遠位端部と前記近位端部の間に延びる管腔、および側部ポートを有するカテーテルハブと、
前記カテーテルハブの前記遠位端部から遠位に延びるカテーテルと、
遠位端部および近位端部を有する延長チューブであって、前記延長チューブの前記遠位端部が前記側部ポートに結合されている、延長チューブと、
前記延長チューブの前記近位端部に結合されたアダプタと、
を備えたカテーテルアセンブリと、
前記アダプタに結合された流体貯蔵ユニットであって、前記流体貯蔵ユニットが、リザーバー、バリア、およびアクチュエーターを含み、前記アクチュエーターによる前記バリアの突破に応答して、前記リザーバーが、前記カテーテルハブの前記管腔と流体連通する、流体貯蔵ユニットと、
前記リザーバー内に配置された流体と、
を備えた、カテーテルシステム。
【請求項２】
前記アクチュエーターによる前記バリアの突破、および前記流体貯蔵ユニットを搾ることに応答して、前記流体が前記リザーバーから前記カテーテルハブの前記管腔内に流れる、請求項１に記載のカテーテルシステム。
【請求項３】
前記流体貯蔵ユニットの近位部と前記流体貯蔵ユニットの遠位端部とを互いに近づけることに応答して、前記バリアが前記アクチュエーターによって突破される、請求項１に記載のカテーテルシステム。
【請求項４】
前記アダプタはＹアダプタを含む、備える請求項１に記載のカテーテルシステム。
【請求項５】
前記流体貯蔵ユニットの前記遠位端部はルアーアダプタを含む、請求項１に記載のカテーテルシステム。
【請求項６】
前記アクチュエーターは中空スパイクを含む、請求項１に記載のカテーテルシステム。
【請求項７】
前記バリアはセプタムを含む、請求項１に記載のカテーテルシステム。
【請求項８】
前記バリアは膜を含む、請求項１に記載のカテーテルシステム。
【請求項９】
前記膜は疎水性である、請求項８に記載のカテーテルシステム。
【請求項１０】
前記流体貯蔵ユニットは、前記アクチュエーターと位置合わせされた前記流体貯蔵ユニットの軸に向かって圧縮可能である、請求項１に記載のカテーテルシステム。
【請求項１１】
前記流体貯蔵ユニットは、前記アクチュエーターに垂直な前記流体貯蔵ユニットの軸に向かって圧縮可能である、請求項１に記載のカテーテルシステム。
【請求項１２】
方法であって、
カテーテルシステムを提供することであって、
カテーテルアセンブリであって、
遠位端部、近位端部、前記遠位端部と前記近位端部の間に延びる管腔、および側部ポートを有するカテーテルハブと、
前記カテーテルハブの前記遠位端部から遠位に延びるカテーテルと、
遠位端部および近位端部を有する延長チューブであって、前記延長チューブの前記遠位端部が前記側部ポートに結合されている、延長チューブと、
前記延長チューブの前記近位端部に結合されたアダプタと、
を備えたカテーテルアセンブリと、
前記アダプタに結合された流体貯蔵ユニットであって、前記流体貯蔵ユニットが、リザーバー、バリア、およびアクチュエーターを含み、前記アクチュエーターによる前記バリアの突破に応答して、前記リザーバーが、前記カテーテルハブの前記管腔と流体連通する、流体貯蔵ユニットと、
前記リザーバー内に配置された流体と、
を備えたカテーテルシステムを提供することと、
前記リザーバーが前記カテーテルハブの前記管腔と流体連通するように前記アクチュエーターで前記バリアを突破することと、
を備えた方法。
【請求項１３】
前記流体が前記リザーバーから前記カテーテルハブの前記管腔に流れるように、前記流体貯蔵ユニットを搾ることをさらに備える、請求項１２に記載の方法。
【請求項１４】
前記アクチュエーターで前記バリアを突破することは、前記流体貯蔵ユニットの近位部と前記流体貯蔵ユニットの遠位端部とを互いに近づけること、を備える、請求項１２に記載の方法。
【請求項１５】
前記アクチュエーターは中空スパイクを含む、請求項１４に記載の方法。
【請求項１６】
前記アダプタは第１のポートおよび第２のポートを備え、前記延長チューブの前記近位端部は前記第１のポートに結合されており、前記第２のポートを静脈内流体バッグに結合することをさらに備える、請求項１２に記載の方法。
【請求項１７】
前記流体貯蔵ユニットの前記遠位端部はルアーアダプタを含む、請求項１２に記載の方法。
【請求項１８】
前記バリアはセプタムまたは膜を含む、請求項１２に記載の方法。
【請求項１９】
前記流体貯蔵ユニットは、前記アクチュエーターと位置合わせされた前記流体貯蔵ユニットの軸に向かって圧縮可能である、請求項１２に記載の方法。
【請求項２０】
前記流体貯蔵ユニットは、前記アクチュエーターに垂直な前記流体貯蔵ユニットの軸に向かって圧縮可能である、請求項１２に記載の方法。